(57)【要約】      （修正有）【課題】容易にボールの中心を狙うことができ、正確なパッティングの姿勢を練習することができ、パターの構造がより精巧緻密になるゴルフのパターを提供する。【解決手段】ヘッド１０はパッティング塊１及び狙い塊２から構成され、パッティング塊１には打球に用いられるパッティング面１１と、狙い塊２の組み合わせに用いられる結合部１２を備え、狙い塊２はパッティング塊１の結合部１２に結合される透明塊であり、この透明塊の上には狙い標記２１が設けられ、ヘッド１０は全透明の透明塊から構成されてもよく、同じくその透明塊の上にも狙い標記が設けられることを特徴とする。よって、透明の狙い塊２またはヘッド１０を通じて狙い標記２１の明晰度を増進することができ、更に進んで容易にボールの心を狙い、正確にピンに打ち込むことができ、正確なパッティング姿勢を習得できる他、パターの構造造形が精巧緻密という目的を達成することができる。【選択図】図２
0003173608.tif 000002
【実用新案登録請求の範囲】
【請求項１】
ヘッドと、ヘッドに結合されるシャフトと、を含むゴルフのパターであって、
ヘッドはパッティング塊と狙い塊を備え、パッティング塊には打球に用いられるパッティング面と、パッティング面に反する位置に結合部が設けられ、前記狙い塊は結合部に結合される透明の塊であり、この透明の塊には少なくとも一つの狙い標記が設けられ、
シャフトは一端がヘッドのパッティング塊に結合固定され、これにより、狙い塊の透明な構造を通じて狙い標記の明晰度が増進されたゴルフのパターが構成されることを特徴とするゴルフのパター。
【請求項２】
前記パッティング塊の結合部はパッティング面に反する位置の結合面であり、前記狙い塊は結合面に貼り付け結合されることを特徴とする、請求項１に記載のゴルフのパター。
【請求項３】
前記狙い塊は前記結合面においてねじ締め、または嵌合により結合されることを特徴とする、請求項２に記載のゴルフのパター。
【請求項４】
前記狙い標記はパッティング面に向かう直線凹痕または直線突起であり、かつ直線凹痕または直線突起には有色顔料が塗布されることを特徴とする、請求項２に記載のゴルフのパター。
【請求項５】
前記パッティング塊の結合部はパッティング面に反する位置の凹溝であり、前記狙い塊は凹溝内に結合されることを特徴とする、請求項１に記載のゴルフのパター。
【請求項６】
前記狙い塊は前記凹溝においてねじ締め、または嵌合により結合されることを特徴とする、請求項５に記載のゴルフのパター。
【請求項７】
前記狙い標記はパッティング面に向かう直線凹痕または直線突起であり、かつ直線凹痕または直線突起には有色顔料が塗布されることを特徴とする、請求項５に記載のゴルフのパター。
【請求項８】
ヘッドと、ヘッドに結合されるシャフトと、を含むゴルフのパターであって、
ヘッドは全てが透明塊であり、透明塊には打球に用いられるパッティング面と、パッティング面に反する位置に狙い標記が設けられ、
シャフトは一端がヘッドのパッティング塊に結合固定され、これにより、ヘッド全体が透明構造であり、それを通じて狙い標記の明晰度が増進されたゴルフのパターが構成されることを特徴とするゴルフのパター。
【請求項９】
前記狙い標記はパッティング面に向かう直線凹痕または直線突起であり、かつ直線凹痕または直線突起には有色顔料が塗布されることを特徴とする、請求項８に記載のゴルフのパター。
【考案の詳細な説明】
【技術分野】
【０００１】
本考案はゴルフ(golf)のパター(putter)に係り、特にゴルフプレー(play)時のパット(put)に使われるパターの構造に関するものである。
【背景技術】
【０００２】
ゴルフに使われるクラブ(club)はウッド(wood)、アイアン(iron)、ウエッジ(wedge)及びパター等種類があり、これらのクラブは更にサイズ(size)によって多くの番号に分けられ、プレーヤ(player)に違った状況によって選択使用される。そのうち、ボール(ball)がグリーン(green)に打ち上げられると、普通はパターによってパッティング(putting)され、パッティングはゴルフの最も精髄な部分であり、特にボールがピン(pin)に沈む瞬間がそうである。そこで、初心者、アマチュア(amateur)プレーヤ、またはプロ(pro)プレーヤにかかわらず、彼らは常にパットの動作、姿勢、力の制御及び判断力等を練習しており、そのために業者は消費者及びプレーヤの選択のために各種パターを提供している。従来のパターには打球面の中央にあわした狙い線が設けられ、このようにして使用者は狙い線を用いてボールの中心をめがけてパッティングし、精確な効果が達成されるよう希望する。場合によって、ある特殊なパターは更に別の補助構造、例えば水準器等が実施される。
【０００３】
ところが、上記狙い線はパターのヘッド(head)の金属構造及び色に制限され、使用時に顕著ではっきりした表示の機能が達成しにくく、狙いに不利である。このほか、現在の多くの人々は室内練習場でパッティングの動作を練習し、例えば随意に人工芝生及び人工グリーンを敷設すれば、オフィス(office)でパッティングをすることができ、このような状況に於いて、より特別なクラブを使用者の練習のために提供する。それは練習のほかに、大切に保存する特別なクラブにすることもできる。
【考案の概要】
【考案が解決しようとする課題】
【０００４】
本考案の目的は一種のゴルフのパターを提供し、それのヘッドの透明な構造設計を通じて、ヘッド上の狙い標記はよりはっきりになり、それによって容易にボールの中心を狙うことができ、正確にボールをピンに押し込み、正確なパッティングの姿勢を練習することができ、及びパターの構造がより精巧緻密になる等効果が達成されるゴルフのパターを提供することにある。
【０００５】
本考案の次の目的はヘッドの透明な構造設計を用い、使用者は透き通って芝地面を見ることができ、それによって使用者は正確にヘッドと芝地面の距離を把握することができ、低すぎまたは高すぎにならなく、打球の正確度を影響することが避けられるゴルフのパターを提供することにある。
【課題を解決するための手段】
【０００６】
上述目的を達成するため、本考案ゴルフのパターの第一最適実施例の内容はヘッドを含み、ヘッドにはパッティング塊及び狙い塊を備える。パッティング塊には打球に用いられるパッティング面と、パッティング面に反する位置に結合部が設けられてある。前記狙い塊は結合部に結合される透明塊であり、その透明塊には少なくとも一つの狙い標記が設けられてある。シャフト(shaft)、それの一端はヘッドのパッティング塊に結合固定される。これにより、狙い塊の透明な構造を通じて狙い標記の明晰度が増進されたゴルフのパターを構成する。
【０００７】
上述目的を達成するため、本考案ゴルフのパターの第二最適実施例の内容はヘッドを含み、ヘッドは全てが透明な透明塊であり、透明塊には打球に用いられるパッティング面と、パッティング面に反する位置に狙い標記が設けられてある。シャフト、それの一端はヘッドに結合固定される。これにより、ヘッド全体の透明な構造を通じて狙い標記の明晰度が増進されたゴルフのパターを構成する。
【０００８】
上述第二最適実施例によるゴルフのパターの狙い標記はパッティング面に向かった直線凹痕または直線突起であり、かつ直線凹痕または直線突起には有色顔料が塗布されてある。
【０００９】
これにより、本考案は透明の狙い塊または全てが透明のヘッドを用い、それによって狙い塊またはヘッドに有色顔料が塗布されてある狙い標記は更にはっきりになり、パッティング前の準備動作を有利にし、容易にボールの心を狙うことができ、及び正確にボールをピンに押し込む効果が達成される。また、透明の構造は狙い標記をよりはっきりにし、使用者の動作や姿勢の調整が有利になり、更に室内練習設備で使用することができ、正確なパッティング姿勢を習得する効果が得られる。このほか、本考案の透明なヘッドの構造は伝統的不透明な金属ヘッドと違い、パターの構造外形が精巧緻密である効果が得られ、消費者の大切に保存することにも適合する。
【考案の効果】
【００１０】
本考案は、ゴルフのパターの一種であり、それはヘッド及びヘッドに結合されるシャフトを含み、ヘッドはパッティング塊及び狙い塊から構成され、パッティング塊には打球に用いられるパッティング面と、狙い塊の組み合わせに用いられる結合部を備え、狙い塊はパッティング塊の結合部に結合される透明の塊であり、その透明塊の上には狙い標記が設けられてあり、ヘッドは全透明の透明塊から構成されてもよく、同じくその透明塊の上にも狙い標記が設けられてある。よって、本考案のゴルフのパターは透明の狙い塊またはヘッドを通じて狙い標記の明晰度を増進することができ、更に進んで容易にボールの心を狙い、正確にピンに打ち込むことができ、正確なパッティング姿勢を習得し、及びパターの構造造形が精巧緻密である目的を達成することができる。
【図面の簡単な説明】
【００１１】
【図１】本考案第一最適実施例のゴルフパターの立体意表図である。
【図２】本考案第一最適実施例のヘッドの立体意表図である。
【図３】本考案第一最適実施例のヘッドの分解意表図である。
【図４】本考案第一最適実施例のねじ締め付け構造の意表図である。
【図５】本考案第一最適実施例の嵌め付け構造の意表図である。
【図６】本考案第一最適実施例のヘッドの立体意表図である。
【図７】本考案第一最適実施例のヘッドの分解意表図である。
【図８】本考案第一最適実施例のねじ締め付け構造の意表図である。
【図９】本考案第一最適実施例の嵌め付け構造の意表図である。
【図１０】本考案第一最適実施例の直線突起の意表図である。
【図１１】本考案第二最適実施例の一体成型されたヘッドの立体意表図である。
【図１２】本考案第二最適実施例の直線凹痕の意表図である。
【図１３】本考案第二最適実施例の直線突起の意表図である。
【考案を実施するための形態】
【００１２】
図１に示すように、本考案のゴルフのパターの第一最適実施例はヘッド10及びヘッド10に結合されるシャフト20を含む。図２及び図３に示すように、ヘッド10はパッティング塊1及び狙い塊2から構成される。パッティング塊1には打球に用いられるパッティング面11と、パッティング面11に反する位置に結合部12が設けられてある。狙い塊2はパッティング塊1の結合部12に結合される透明塊であり、それは強化プラスチック(plastic)、強化ガラス(glass)等から構成され、透明塊の上面には少なくとも一つの狙い標記21が設けられてある。シャフト20は長い棒であり、それの一端はヘッド10のパッティング塊1に結合固定される。これにより、狙い塊2の透明な構造を通じて狙い標記21の明晰度が増進されたゴルフのパターが構成される。
【００１３】
また図３に示すように、本考案の前記パッティング塊1の結合部12の最適実施例はパッティング面11に反する位置の結合面121であり、これによって狙い塊2は結合面121に貼り付け結合される。狙い塊2と結合面121の結合構造は接着構造でもよい。または図４に示すねじ締め付け構造でもよく、ねじ締め付け構造は少なくとも二本のねじ22を用いて締め付けを行い、狙い塊2を結合面121に締め付ける。または図５に示す嵌め付け構造でもよく、その嵌め付け構造はパッティング塊1に第一嵌め付け部13が設けられ、狙い塊2には第一嵌め付け部13に対応する第二嵌め付け部23が設けられ、これによって狙い塊2の第二嵌め付け部23とパッティング塊1の第一嵌め付け部13は互いに嵌め付けられる。
【００１４】
狙い塊2とパッティング塊1が一緒に組み合わせられる堅固性を増やすため、再び図６及び図７に示すように、本考案の前記パッティング塊1の結合部12の最適実施例はパッティング面11に反する位置の凹溝122でもよく、これによって前記狙い塊2は凹溝122内に結合される。また、狙い塊2と凹溝122が結合する構造は接着結合でもよい。または図８に示すようなねじ締め付け構造で、そのねじ締め付け構造は少なくとも二本のねじ22を使って締め付けを行い、狙い塊2を凹溝122内に締め付ける。または図９に示すような嵌め付け構造で、その嵌め付け構造はパッティング塊1に第一嵌め付け部13が設けられ、狙い塊2に第一嵌め付け部13に対応する第二嵌め付け部23が設けられ、これによって狙い塊2を凹溝122内に設置し、第二嵌め付け部23と第一嵌め付け部13を互いに嵌め付ける。
【００１５】
本考案は狙い塊2を透明な構造に実施し、その主要は狙い標記21の明晰度を増やすことで、狙い標記21は図２及び図６に示すように、パッティング塊1のパッティング面11に向かう直線凹痕211でもよく、かつ直線凹痕211に有色顔料が塗布される。または図１０に示すように、パッティング塊1のパッティング面11に向かう直線突起212でもよく、かつ直線突起212に有色顔料が塗布される。
【００１６】
また、図１１に示すように、本考案ゴルフのパターの第二最適実施例は同じくヘッド10及びヘッド10に結合されるシャフト20を含み、そのうち、ヘッド10は全てが透明の透明塊から構成され、透明塊には打球に用いられるパッティング面11、及びパッティング面11に反する位置に狙い標記14が設けられ、シャフト20の一端はヘッド10に結合固定され、使用者にパッティング時の握り持ちを提供する。これにより、ヘッド10の透明構造を通じて狙い標記14の明晰度を増進するゴルフのパターが構成される。
【００１７】
更に図１２に示すように、前記狙い標記14はパッティング面11に向かう直線凹痕141でもよく、かつ直線凹痕141には有色顔料が塗布される。または図１３に示すように、前記狙い標記14はパッティング面11に向かう直線突起142でもよく、かつ直線突起142には有色顔料が塗布される。
【００１８】
以上をまとめると、本考案のゴルフのパターは確かに実用性と創造性を備え、その技術手段の運用も斬新であることに疑いがなく、かつ効能は設計目的と完全に符合し、それが合理的な進歩であることは至って明らかである。
【符号の説明】
【００１９】
10：ヘッド、20：シャフト、1：パッティング塊、11：パッティング面、12：結合部、121：結合面、122：凹溝、13：第一嵌め付け部、14：狙い標記、141：直線凹痕、142：直線突起、2：狙い塊、21：狙い標記、211：直線凹痕、212：直線突起、22：ねじ、23：第二嵌め付け部。
【図１】
0003173608.tif 000003
【図２】
0003173608.tif 000004
【図３】
0003173608.tif 000005
【図４】
0003173608.tif 000006
【図５】
0003173608.tif 000007
【図６】
0003173608.tif 000008
【図７】
0003173608.tif 000009
【図８】
0003173608.tif 000010
【図９】
0003173608.tif 000011
【図１０】
0003173608.tif 000012
【図１１】
0003173608.tif 000013
【図１２】
0003173608.tif 000014
【図１３】
0003173608.tif 000015